(57)【要約】【課題】  この発明は、ユーザの取り扱いを便利にするようにした電子番組表出力装置および電子番組表表示装置を提供することを目的としている。【解決手段】  複数のチャンネルに係る番組情報を取得する番組情報取得手段（４７）と、複数のチャンネルに係る番組情報の関連付けを検出する関連付け検出手段（４７）と、検出された複数のチャンネルに係る番組情報の関連付けに基づいて、複数のチャンネルを代表する所定の代表チャンネルのチャンネル欄にまとめた電子番組表を作成する代表チャンネル欄作成手段（５２、５４、５５）と、代表チャンネル欄が関連付けに基づく複数のチャンネルに係るチャンネル欄を表示可能であることを示す表示を代表チャンネル欄（Ｃ）に電子番組表と対応付けて出力する表示出力手段（１４）とを備えるようにしている。【選択図】    図６
2006129242.tif 000002
【特許請求の範囲】
【請求項１】
取得した番組情報に基づいて電子番組表を作成して出力する電子番組表出力装置において、
複数のチャンネルに係る番組情報を取得する番組情報取得手段と、
前記取得された複数のチャンネルに係る番組情報の関連付けを検出する関連付け検出手段と、
前記検出された複数のチャンネルに係る番組情報の関連付けに基づいて、複数のチャンネルを代表する所定の代表チャンネルのチャンネル欄にまとめた電子番組表を作成する代表チャンネル欄作成手段と、
前記作成された代表チャンネル欄が前記関連付けに基づく複数のチャンネルに係るチャンネル欄を表示可能であることを示す表示を前記代表チャンネル欄に前記電子番組表と対応付けて出力する表示出力手段とを備えることを特徴とする電子番組表出力装置。
【請求項２】
取得した番組情報に基づいて電子番組表を作成して出力する電子番組表出力装置において、
複数のチャンネルに係る番組情報を取得する番組情報取得手段と、
前記取得された複数のチャンネルに係る番組情報の関連付けを検出する関連付け検出手段と、
前記検出された複数のチャンネルに係る番組情報の関連付けに基づいて、複数のチャンネルを代表する所定の代表チャンネルのチャンネル欄にまとめた電子番組表を作成する代表チャンネル欄作成手段と、
前記作成された代表チャンネル欄が前記関連付けに基づく複数のチャンネルに係るチャンネル欄を表示可能であり、複数のチャンネルに係るチャンネル欄を拡張表示可能であることを示す表示を前記代表チャンネル欄の放送局名を表示する欄に並べて表示し、前記電子番組表と対応付けて出力する表示出力手段とを備えることを特徴とする電子番組表出力装置。
【請求項３】
前記表示出力手段は前記作成された代表チャンネル欄が前記関連付けに基づく複数のチャンネルの数を示す表示を前記電子番組表と対応付けて出力することを特徴とする請求項１または2に記載の電子番組表出力装置。
【請求項４】
前記複数のチャンネルに係るチャンネル欄を表示可能であることを示す表示は各番組を表示する欄に表示することを特徴とする請求項１乃至３に記載の電子番組表出力装置。
【請求項５】
取得した番組情報に基づいて電子番組表を作成して表示する電子番組表表示装置において、
複数のチャンネルに係る番組情報を取得し、取得された複数のチャンネルに係る番組情報の関連付けに基づいて、表示可能な複数のチャンネルの数を示す表示が付された代表チャンネル欄を前記電子番組表に表示する代表チャンネル表示手段と、
前記電子番組表に表示された代表チャンネル欄が選択されたか否かを判断するチャンネル欄選択判断手段と、
前記代表チャンネル欄が選択されたと判断された場合に、前記取得された複数のチャンネルに係る番組情報を、番組情報の関連付けに基づいて、複数のチャンネル欄に表示する複数チャンネル欄表示が指示されたか否かを判断する複数チャンネル表示指示判断手段と、
前記複数チャンネル表示が指示されたと判断された場合に、前記電子番組表に表示されている前記代表チャンネル欄を前記複数チャンネル欄で表示する表示手段とを備えることを特徴とする電子番組表表示装置。
【請求項６】
取得した番組情報に基づいて電子番組表を作成して表示する電子番組表表示方法において、
複数のチャンネルに係る番組情報を取得し、取得された複数のチャンネルに係る番組情報の関連付けに基づいて、表示可能な複数のチャンネルの数を示す表示が付された代表チャンネル欄を前記電子番組表に表示するステップと、
前記電子番組表に表示された代表チャンネル欄が選択されたか否かを判断するステップと、
前記代表チャンネル欄が選択されたと判断された場合に、前記取得された複数のチャンネルに係る番組情報を、番組情報の関連付けに基づいて、複数のチャンネル欄に表示する複数チャンネル欄表示が指示されたか否かを判断するステップと、
前記複数チャンネル表示が指示されたと判断された場合に、前記電子番組表に表示されている前記代表チャンネル欄を前記複数チャンネル欄で表示するステップとを備えることを特徴とする電子番組表表示方法。
【発明の詳細な説明】
【技術分野】
【０００１】
この発明は、例えばデジタルテレビジョン放送受信装置等に使用して好適する電子番組表出力装置、電子番組表表示装置、電子番組表表示方法に関する。
【背景技術】
【０００２】
周知のように、近年では、テレビジョン放送のデジタル化が推進されている。例えば、日本国内においては、ＢＳ（Broadcasting Satellite）デジタル放送および１１０度ＣＳ（Communication Satellite）デジタル放送等の衛星デジタル放送だけでなく、地上デジタル放送も開始されている。
【０００３】
このようなデジタルテレビジョン放送を受信するデジタル放送受信装置にあっては、放送信号から取得したＥＰＧ（Electronic Program Guide）情報に基づいて電子番組表を作成し、画面に映像表示している。そして、ユーザは、映像表示された電子番組表から所望の番組を選択して、視聴や録画予約等を行なうことができる。
【０００４】
ところでＥＰＧ情報には、放送される多数のチャンネルのそれぞれに対して約１週間分もの電子番組表を作成可能な情報が含まれている。デジタル放送受信装置の画面サイズは限られており、全ての電子番組表を同時に表示させることはできないので、電子番組表を部分的に切り換えながら画面表示させることになる。そこで、限られた画面内に如何に多くの情報を効率良く表示するかということ、すなわち一覧性を高めることが重要となる。
【０００５】
特許文献１には、複数のチャンネルを用いて１つの番組が放送され、その１つの番組を放送する複数のチャンネルの全てにてその１つの番組の番組情報が伝送される場合に視認性の良い番組表を表示するデジタル放送受信機が開示される。  
特許文献２には、現在選択しているＳＤＴＶ番組選択チャンネルに対応するトランスポートストリームによって提供されている全てのＳＤＴＶ番組に関する情報をユーザに知らせることができるデジタル放送受信機が開示される。
【特許文献１】特開２００１−１４５０４３号公報
【特許文献２】特開２００１−１１１９０７号公報
【発明の開示】
【発明が解決しようとする課題】
【０００６】
この発明は上記事情を考慮してなされたもので、その目的は、一覧性の高い番組表を表示することができ、ユーザにとっての取り扱いを便利にするようにした電子番組表出力装置および電子番組表表示装置を提供することにある。
【課題を解決するための手段】
【０００７】
この発明に係る電子番組表出力装置は、複数のチャンネルに係る番組情報を取得する番組情報取得手段と、前記取得された複数のチャンネルに係る番組情報の関連付けを検出する関連付け検出手段と、前記検出された複数のチャンネルに係る番組情報の関連付けに基づいて、複数のチャンネルを代表する所定の代表チャンネルのチャンネル欄にまとめた電子番組表を作成する代表チャンネル欄作成手段と、前記作成された代表チャンネル欄が前記関連付けに基づく複数のチャンネルに係るチャンネル欄を表示可能であることを示す表示を前記代表チャンネル欄に前記電子番組表と対応付けて出力する表示出力手段とを備えるようにしている。
【発明の効果】
【０００８】
上記した発明によれば、電子番組表に複数のチャンネルを代表する代表チャンネル欄を表示して視認性を向上させることが可能となる。また、代表チャンネル欄に関連付けに基づく複数のチャンネルに係るチャンネル欄を表示可能であることを示す表示を電子番組表と対応付けて表示することが可能となる。これによって、ユーザにとって電子番組表の取り扱いを便利にすることが可能となる。
【発明を実施するための最良の形態】
【０００９】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１０】
すなわち、デジタルテレビジョン放送受信装置１１は、主として、薄型のキャビネット１２と、このキャビネット１２を起立させて支持する支持台１３とから構成されている。
【００１１】
そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１２】
また、このデジタルテレビジョン放送受信装置１１には、例えばＳＤ（Secure Digital）メモリカード、ＭＭＣ（Multimedia Card）およびメモリスティック等の第１のメモリカード１９が着脱可能となっており、この第１のメモリカード１９に対して番組や写真等の情報の記録再生が行なわれるようになっている。
【００１３】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１４】
また、このデジタルテレビジョン放送受信装置１１は、第１のＬＡＮ（Local Area Network）端子２１、第２のＬＡＮ端子２２、ＵＳＢ（Universal Serial Bus）端子２３およびｉ．Link端子２４を備えている。
【００１５】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１６】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００１７】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００１８】
なお、ＤＶＤレコーダ２９については、第２のＬＡＮ端子２２を介して通信されるデジタル情報が制御系のみの情報であるため、デジタルテレビジョン放送受信装置１１との間でアナログの映像および音声情報を伝送するために、専用のアナログ伝送路３０を設ける必要がある。
【００１９】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２０】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２１】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２２】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２３】
そして、このチューナ４５で選局された放送信号は、ＰＳＫ（Phase Shift Keying）復調器４６に供給されて、デジタルの映像信号および音声信号に復調された後、信号処理部４７に出力される。
【００２４】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２５】
そして、このチューナ５０で選局された放送信号は、ＯＦＤＭ（Orthogonal Frequency Division Multiplexing）復調器５１に供給されて、デジタルの映像信号および音声信号に復調された後、上記信号処理部４７に出力される。
【００２６】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号および音声信号に復調された後、上記信号処理部４７に出力される。
【００２７】
ここで、上記信号処理部４７は、ＰＳＫ復調器４６およびＯＦＤＭ復調器５１からそれぞれ供給されたデジタルの映像信号および音声信号に対して、選択的に所定のデジタル信号処理を施し、グラフィック処理部５４および音声処理部５５に出力している。
【００２８】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号および音声信号を、デジタルテレビジョン放送受信装置１１の外部から入力可能とするものである。
【００２９】
そして、この信号処理部４７は、上記アナログ復調器５３および各入力端子５６ａ〜５６ｄからそれぞれ供給されたアナログの映像信号および音声信号を選択的にデジタル化し、そのデジタル化された映像信号および音声信号に対して所定のデジタル信号処理を施した後、グラフィック処理部５４および音声処理部５５に出力している。
【００３０】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３１】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換した後、映像表示器１４に出力して映像表示させるとともに、出力端子５９を介して外部に導出させる。
【００３２】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３３】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を、前記受光部１８を介して受信し、その操作内容が反映されるように各部をそれぞれ制御している。
【００３４】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報および制御情報等が格納される不揮発性メモリ６４とを利用している。
【００３５】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００３６】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００３７】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００３８】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００３９】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４０】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４１】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４２】
図４は、本実施の形態におけるデジタルテレビジョン放送受信装置が電子番組表を表示する動作を説明するために示すフローチャートである。この動作はユーザがリモートコントローラ１７の番組表キー１７ｈやカラーキー１７ｍを操作することにより開始され、ＥＰＧ処理が起動される（ステップＳ１）。このステップでは、放送信号やネットワーク等を介して番組情報であるＥＰＧ情報が取得される。
【００４３】
次に制御部６１は、ユーザにより予め選択された放送メディアを決定する（ステップＳ２）。このステップでは、テレビジョン方法、ラジオ放送、およびデータ放送などの放送媒体が決定される。次に制御部６１は、ＥＰＧ画面表示のモードを判定する（ステップＳ３）。全（複数）チャンネル表示モードが判定されると、通常のとおり、全て（複数）のチャンネルについての番組表が表示される（ステップＳ４）。
【００４４】
尚、ここで上記全（複数）チャンネル表示について説明する。この発明の実施の形態においては、全（複数）チャンネルとしているが、これは、全チャンネルでもよいし、複数のチャンネルに係る番組情報の関連付けに基づいて、まとめられた複数チャンネル（必ずしも全チャンネルでなくとも可）でもよい。
【００４５】
本実施形態ではこの全（複数）チャンネル表示モードと、代表チャンネル表示モードを備える。この代表チャンネル表示モードは、各放送事業者につき、例えば代表する一つのチャンネル分の番組表を表示するものである。これによって、画面内に表示可能な事業者の数を増やすことが可能となる。例えば、チャンネル提供数が１である事業者に関しては、表示態様は通常と同じであるが、複数のチャンネルで異なる番組を提供する事業者（例えば標準テレビ放送等）の場合には、そのうち一つのチャンネルの番組表が選択的に表示される。なお複数のチャンネルで異なる番組を提供する事業者、とは、例えば地上波デジタル放送に加えて標準テレビ放送の放送枠を持つ事業者などである。
【００４６】
さて、ステップＳ３で代表チャンネル表示モードが判定されると、事業者ごとに代表チャンネルが検出される（ステップＳ６）。代表チャンネルとは各事業者を便宜的に代表する１つのチャンネルであり、例えばリモートコントローラ１７を用いたユーザの初期設定により、事業者ごとに予め指定される。または代表チャンネルは、前回に表示されたチャンネルや日時等のラスト条件に基づいて決定される。特に、チャンネル番号が最小または最大のチャンネルを代表チャンネルにすると簡便である。さらに、このようにして決定されたチャンネルの視聴権をユーザが持たない（すなわち未契約チャンネル）場合には、そのチャンネルをスキップして、隣のチャンネルを代表チャンネルとすれば良い。そしてステップＳ５〜ステップＳ７のループを経て全ての事業者につき代表チャンネルが決定されれば、その結果を反映するＥＰＧ表示が実施される（ステップＳ８）。
【００４７】
図５は、この発明の実施の形態における番組情報の取得動作の他の例を説明するフローチャートである。
【００４８】
ここではステップＳ５，Ｓ３，Ｓ６のループにおいて、事業者ごとに表示モードを判定するようにしている。これは、全（複数）チャンネル表示モード、および代表チャンネル表示モードのいずれかが、放送事業者ごとに予め設定されている場合に有効である。これはシステム的な設定でも良いし、ユーザが予め登録しておくかたちでも良い。このようにすると、メディアシームレスなシステムを提供できる。
【００４９】
すなわち、この発明においては、複数のチャンネルに係る番組情報を取得する番組情報取得手段（４７）と、前記取得された複数のチャンネルに係る番組情報の関連付けを検出する関連付け検出手段（４７）と、前記検出された複数のチャンネルに係る番組情報の関連付けに基づいて、複数のチャンネルを代表する所定の代表チャンネルのチャンネル欄にまとめた電子番組表を作成する代表チャンネル欄作成手段（４７、５２、５４）と、前記作成された代表チャンネル欄が前記関連付けに基づく複数のチャンネルに係るチャンネル欄を表示可能であることを示す表示を前記電子番組表と対応付けて出力する表示出力手段（５５）とを備えている。
【００５０】
図６はこの発明の実施の形態における電子番組表の表示画面の一例を説明する図である。ここでは代表チャンネル表示と全（複数）チャンネル表示の両方が表示されている。
【００５１】
この電子番組表では、水平方向に符号Ａ、Ｂ、Ｃ、Ｄ、Ｅ、Ｆで示す合計６つのチャンネル領域を配列している。また、垂直方向に５時間分の時間枠を配列して、チャンネル（番組）を表示している。
【００５２】
符号ＡはＮＨＫ１（チャンネル番号０１１）、符号ＢはＮＨＫ２（チャンネル番号０２１）、符号Ｃは日本テレビ（チャンネル番号１４１）、符号ＤはＴＶ朝日（チャンネル番号１５１）、符号ＥはＴＶ朝日（チャンネル番号１５２）、符号ＦはＴＶ朝日（チャンネル番号１５３）のチャンネル欄を示している。
【００５３】
符号Ｃで示す日本テレビ（チャンネル番号１４１）のチャンネル欄は代表チャンネル表示である。例えば、日本テレビが３つのチャンネル枠（例えばチャンネル番号１４１、チャンネル番号１４２、チャンネル番号１４３）を提供している場合に、図に示すように、これらを代表して日本テレビ（チャンネル番号１４１）を表示している。
【００５４】
そして、符号300a、符号300bを付した棒状の表示は代表チャンネル欄が前記関連付けに基づいた複数のチャンネルの数を示している。
【００５５】
上述したように、ここでは３つのチャンネル枠を１つのチャンネル枠にまとめ、これらを代表した代表チャンネル欄（Ｃ）を表示している。したがって、表示しないチャンネル枠が２つあるが、これを符号300a、符号300bを付した棒状の表示で示している。
【００５６】
この表示によって、ユーザは、代表チャンネル欄（Ｃ）には表示していないチャンネル枠が2つあること（ここでは、日本テレビに表示以外に2つのチャンネル枠が存在すること）を知ることができる。
【００５７】
また、符号Ｄ、Ｅ、Ｆで示すテレビ朝日（チャンネル番号１５１、チャンネル番号１５２、チャンネル番号１５３）のチャンネル欄は全（複数）チャンネル表示である。上記のように、全（複数）チャンネル表示は、全チャンネルでもよいし、複数のチャンネルに係る番組情報の関連付けに基づいて、まとめられた複数チャンネルでもよい。
【００５８】
上記説明したように符号Ｃで示す日本テレビ（チャンネル番号１４１）のチャンネル欄は代表チャンネル表示である。このテレビ朝日の全（複数）チャンネル表示を代表チャンネル表示に切り替えると日本テレビ（チャンネル番号１４１）のチャンネル欄のように表示される。
【００５９】
ここでは後述するように、代表チャンネル表示から全（複数）チャンネル表示への切り替えおよび全（複数）チャンネル表示から代表チャンネル表示への切り替えは、表示されているチャンネル展開ボタン（ここでは緑のカラーキー１７ｍ）がユーザによって操作され、実行される。
【００６０】
具体的にはこの電子番組表は、ユーザがリモートコントローラ１７のカーソルキー１７ｆを操作することにより、上下左右方向に選択的にスクロールさせることが可能である。また、リモートコントローラ１７のページ切換キー１７ｉを操作すれば、１画面分の電子番組表を上下左右方向に選択的にスキップさせることが可能である。さらに、日時指定切換機能を用いることにより、指定した日時を含む番組表の部分にジャンプして、その番組表の表示に切り換えられるようになる。
【００６１】
例えば、表示欄Ｄ〜Ｆに示すように、同じ放送局（テレビ朝日）が複数（図示の場合は３つ）のチャンネル番号を有する場合には、３つの放送局名表示領域Ｄ、Ｅ、Ｆが共通の放送局名表示領域として使用される。
【００６２】
また、同じ放送局（テレビ朝日）が複数（図示の場合は３つ）のチャンネル番号でそれぞれ同じ番組を放送する、いわゆるイベント共有が行なわれている時間帯では、３つの番組表示領域Ｄ、Ｅ、Ｆが共通の番組表示領域として使用される。
【００６３】
さらに、この電子番組表では、その６つの表示欄Ａ〜Ｆの下部に、リモートコントローラ１７のカーソルキー１７ｆによって選択している番組のチャンネル番号、タイトル及び放送時間等を示す選択番組表示領域Ｇが設けられる。
【００６４】
また、この電子番組表では、その左右に、上から下に向けて１時間毎の時間枠を示す５つの時間領域が設けられている。図６では、各時間領域が、それぞれ午前９時〜午後１時に対応している状態を示している。そして、現在時刻が午前１０時になると、各時間領域が、それぞれ午前１０時〜午後２時に対応するように切り換えられる。このような電子番組表の表示状態で、制御部６１は例えばリモートコントローラ１７の赤色のカラーキー１７ｍが操作されたことを検知すると、次に示す代表チャンネル表示画面を映像表示器１４に表示させる。
【００６５】
図７はこの発明の実施の形態における代表チャンネル表示で表示されているチャンネル表示欄を全（複数）チャンネル表示で表示する例を説明するフローチャートである。
【００６６】
符号１０００はここでの開始ステップである。続いて符合１００１を付したステップへ進む。
【００６７】
符合１００１は電子番組表の番組表示欄（Ｃ）を代表チャンネル表示で表示するステップである。続いて符合１００２を付したステップへ進む。
【００６８】
符合１００２は代表チャンネル表示で表示されている番組表示欄（Ｃ）がユーザによって選択されたか否かを判断するステップである。ここでは番組表示欄（Ｃ）の全ての領域を選択する必要はなく、図に示すように、例えば一つの番組「今日の出来事＆ＳＰＯＲＴＳ  ＭＡＸ」602が選択されていればよい。代表チャンネル表示で表示されている番組表示欄（Ｃ）がユーザによって選択されたと判断された場合は符合１００３を付したステップへ進む（Ｙｅｓ）。代表チャンネル表示で表示されている番組表示欄（Ｃ）がユーザによって選択されたと判断されない場合は符合１００１を付したステップへ進み上記処理が繰り返される（Ｎｏ）。
【００６９】
符合１００３は全（複数）チャンネル表示が（ここではユーザによってチャンネル展開が選択されて）指示されたか否かを判断するステップである。全（複数）チャンネル表示が指示されたと判断された場合は符合１００４を付したステップへ進む（Ｙｅｓ）。全（複数）チャンネル表示が指示されたと判断されない場合は符合１００１を付したステップへ進み上記処理が繰り返される（Ｎｏ）。
【００７０】
符号１００４は代表チャンネル表示で表示されている選択されたチャンネル表示欄（番組表示欄）Ｃを全（複数）チャンネル表示で表示するステップである。続いて符合１００５を付したステップへ進む。
【００７１】
符号１００５は終了ステップであり、ここでの処理は終了する。
【００７２】
図８はこの発明の実施の形態における全（複数）チャンネル表示で表示されているチャンネル表示欄を代表チャンネル表示で表示する例を説明するフローチャートである。
【００７３】
符号２０００はここでの開始ステップである。続いて符合２００１を付したステップへ進む。
【００７４】
符合２００１は電子番組表の番組表示欄（Ｄ、Ｅ、Ｆ）を全（複数）チャンネル表示で表示するステップである。続いて符合２００２を付したステップへ進む。
【００７５】
符合２００２は全（複数）チャンネル表示で表示されている番組表示欄（Ｄ、Ｅ、Ｆ）がユーザによって選択されたか否かを判断するステップである。ここでは番組表示欄（Ｄ、Ｅ、Ｆ）の全ての領域を選択する必要はなく、上記と同様に、例えば一つの番組が選択されていればよい。全（複数）チャンネル表示で表示されている番組表示欄（Ｄ、Ｅ、Ｆ）がユーザによって選択されたと判断された場合は符合２００３を付したステップへ進む（Ｙｅｓ）。全（複数）チャンネル表示で表示されている番組表示欄（Ｄ、Ｅ、Ｆ）がユーザによって選択されたと判断されない場合は符合２００１を付したステップへ進み上記処理が繰り返される（Ｎｏ）。
【００７６】
符合２００３は代表チャンネル表示が（ここではユーザによってチャンネル展開が選択されて）指示されたか否かを判断するステップである。代表チャンネル表示が指示されたと判断された場合は符合２００４を付したステップへ進む（Ｙｅｓ）。代表チャンネル表示が指示されたと判断されない場合は符合２００１を付したステップへ進み上記処理が繰り返される（Ｎｏ）。
【００７７】
符号２００４は全（複数）チャンネル表示で表示されている選択されたチャンネル表示欄（番組表示欄）Ｄ、Ｅ、Ｆを代表チャンネル表示で表示するステップである。続いて符合２００５を付したステップへ進む。
【００７８】
符号２００５は終了ステップであり、ここでの処理は終了する。
【００７９】
図９はこの発明の実施の形態における電子番組表の表示画面の他の例を説明する図である。
【００８０】
すなわち、図６で説明した上記代表チャンネル表示に加え、チャンネル欄（放送局欄）Ｃに表示されている放送局名である日本テレビの両側に略三角形の表示（100a、100b）を用いて、チャンネル欄が外向きに拡張可能であることを印象付ける表示を行っている。これにより、ユーザに対して、複数のチャンネルに係るチャンネル欄を表示可能であることをさらに強く示している。
【００８１】
上記のように、この発明の実施の形態によれば、電子番組表に複数のチャンネルを代表する代表チャンネル欄を表示して視認性を向上させることが可能となる。また、代表チャンネル欄に関連付けに基づく複数のチャンネルに係るチャンネル欄を表示可能であることを示す表示を電子番組表と対応付けて表示することが可能となる。これによって、ユーザにとって電子番組表の取り扱いを便利にすることが可能となる効果がある。
【００８２】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除してもよいものである。さらに、異なる実施の形態に係る構成要素を適宜組み合わせてもよいものである。
【図面の簡単な説明】
【００８３】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態における番組情報の取得動作を説明するフローチャート。
【図５】同実施の形態における番組情報の取得動作の他の例を説明するフローチャート。
【図６】同実施の形態における電子番組表の表示画面の一例を説明する図。
【図７】同実施の形態における代表チャンネル表示で表示されているチャンネル表示欄を全（複数）チャンネル表示で表示する例を説明するフローチャート。
【図８】同実施の形態における全（複数）チャンネル表示で表示されているチャンネル表示欄を代表チャンネル表示で表示する例を説明するフローチャート。
【図９】同実施の形態における電子番組表の表示画面の他の例を説明する図。
【符号の説明】
【００８４】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ。
【図１】
2006129242.tif 000003
【図２】
2006129242.tif 000004
【図３】
2006129242.tif 000005
【図４】
2006129242.tif 000006
【図５】
2006129242.tif 000007
【図６】
2006129242.tif 000008
【図７】
2006129242.tif 000009
【図８】
2006129242.tif 000010
【図９】
2006129242.tif 000011